(57)【要約】【課題】聴覚障害者への手話アニメーションによる迅速な情報提供の実現【解決手段】異常検知装置２からの検知信号に基づいて、手話アニメーションデータベース７内に格納済の手話アニメーションデータの中から最適な手話アニメーションデータを手話アニメーションデータ選定部８ｃが自動的に選択し、この最適手話アニメーションデータを、最適手話アニメーションデータ伝送部８ｃおよび手話アニメーション配信部９を介して手話アニメーション表示装置４に配信し、手話アニメーション表示装置４にて手話アニメーションによる情報を表示する。【選択図】　図１
2004110649.tif 000002
【特許請求の範囲】
【請求項１】
異常事態の発生を検知する異常検知装置と、該異常検知装置からの検知信号に基づいて手話アニメーションを生成する手話アニメーション生成装置と、生成された手話アニメーションを表示する手話アニメーション表示装置と、を備え、
前記手話アニメーション生成装置は、
単語を入力する入力装置と、
該入力装置から入力された単語に基づいて手話アニメーションデータを生成する手話アニメーション生成部と、
該手話アニメーション生成部にて生成された手話アニメーションデータを格納する手話アニメーションデータベースと、
前記異常検知装置からの検知信号に基づいて前記手話アニメーションデータベースから最適な手話アニメーションデータを自動的に選択し、この最適手話アニメーションデータを、手話アニメーション表示装置に配信する手話アニメーション配信部に伝送する制御部と、
を具備して成ることを特徴とする手話アニメーションによる情報提供システム。
【請求項２】
異常事態発生情報を音声アナウンスする情報提供者が音声入力する音声入力装置と、該音声入力装置からの音声データに基づいて手話アニメーションを生成する手話アニメーション生成装置と、生成された手話アニメーションを表示する手話アニメーション表示装置と、を備え、
前記手話アニメーション生成装置は、
単語を入力する入力装置と、
該入力装置から入力された単語に基づいて手話アニメーションデータを生成する手話アニメーション生成部と、
該手話アニメーション生成部にて生成された手話アニメーションデータを格納する手話アニメーションデータベースと、
前記音声入力装置からの音声データをテキストデータに変換し、変換したテキストデータに基づいて前記手話アニメーションデータベースから最適な手話アニメーションデータを自動的に選択し、この最適手話アニメーションデータを、手話アニメーション表示装置に配信する手話アニメーション配信部に伝送する制御部と、
を具備して成ることを特徴とする手話アニメーションによる情報提供システム。
【請求項３】
前記手話アニメーション表示装置は、移動体通信端末であることを特徴とする請求項１又は２に記載の手話アニメーションによる情報提供システム。
【発明の詳細な説明】
【０００１】
【発明の属する技術分野】
本発明は、聴覚障害者に対して迅速に情報提供を行うことのできる手話アニメーションによる情報提供システムに関するものである。
【０００２】
【従来の技術】
従来、手話アニメーションを生成することにより聴覚障害者に対して情報を伝達する技術としては、次の先行技術文献に係る発明がある。
【０００３】
【特許文献１】
特開平９−２７４４２８号公報
【０００４】
ここで、従来技術によれば、手話アニメーション作成者が伝達すべき情報を単語入力する等の人手を介した後、手話アニメーションへの変換処理あるいは編集処理を経て手話アニメーションを生成，表示することとなる。
【０００５】
【発明が解決しようとする課題】
しかしながら、例えば災害等の異常事態が発生した場合には、聴覚障害者の不安解消と安全確保のため、異常事態発生時と同時またはその直後に情報を伝達する必要があることから、手話アニメーションの生成処理および表示処理に関しては、より一層の時間短縮が望まれている。
【０００６】
そこで本発明は、聴覚障害者への迅速な情報提供を可能とする手話アニメーションによる情報提供システムを提供することにある。
【０００７】
【課題を解決するための手段】
上記目的を達成するために、本発明の手話アニメーションによる情報提供システムは、異常事態の発生を検知する異常検知装置と、該異常検知装置からの検知信号に基づいて手話アニメーションを生成する手話アニメーション生成装置と、生成された手話アニメーションを表示する手話アニメーション表示装置と、を備え、前記手話アニメーション生成装置は、単語を入力する入力装置と、該入力装置から入力された単語に基づいて手話アニメーションデータを生成する手話アニメーション生成部と、該手話アニメーション生成部にて生成された手話アニメーションデータを格納する手話アニメーションデータベースと、前記異常検知装置からの検知信号に基づいて前記手話アニメーションデータベースから最適な手話アニメーションデータを自動的に選択し、この最適手話アニメーションデータを、手話アニメーション表示装置に配信する手話アニメーション配信部に伝送する制御部と、を具備している。
【０００８】
また、本発明の手話アニメーションによる情報提供システムは、異常事態発生情報を音声アナウンスする情報提供者が音声入力する音声入力装置と、該音声入力装置からの音声データに基づいて手話アニメーションを生成する手話アニメーション生成装置と、生成された手話アニメーションを表示する手話アニメーション表示装置と、を備え、前記手話アニメーション生成装置は、単語を入力する入力装置と、該入力装置から入力された単語に基づいて手話アニメーションデータを生成する手話アニメーション生成部と、該手話アニメーション生成部にて生成された手話アニメーションデータを格納する手話アニメーションデータベースと、前記音声入力装置からの音声データをテキストデータに変換し、変換したテキストデータに基づいて前記手話アニメーションデータベースから最適な手話アニメーションデータを自動的に選択し、この最適手話アニメーションデータを、手話アニメーション表示装置に配信する手話アニメーション配信部に伝送する制御部と、を具備している。
【０００９】
さらに、本発明の手話アニメーションによる情報提供システムにおいて、手話アニメーション表示装置が移動体通信端末であっても、上記目的を達成することができる。
【００１０】
【発明の実施の形態】
以下、本発明の一実施形態に係る手話アニメーションによる情報提供システムについて、図１から図３を参照して説明する。
【００１１】
［手話アニメーションによる情報提供システムの構成］
まず、本実施形態に係る手話アニメーションによる情報提供システム１の構成について、図１及び図２を参照して説明する。ここで、図１は、本発明の一実施形態に係る手話アニメーションによる情報提供システムの構成図であり、図２は第一実施形態に係る手話アニメーションによる情報提供システムにおける手話アニメーションデータベースの構成の一例を示す図である。
【００１２】
図１に示すように、本実施形態に係る手話アニメーションによる情報提供システム１は、火災報知器等の異常検知装置２と、該異常検知装置２からの検知信号に基づいて手話アニメーションを生成する手話アニメーション生成装置３と、生成された手話アニメーションを表示する手話アニメーション表示装置４と、が通信回線を介して接続されることで構成されている。
【００１３】
前記手話アニメーション生成装置３には、入力装置５から入力された単語に基づいて手話アニメーション生成部６にて生成された手話アニメーションのデータを格納する手話アニメーションデータベース（以下、手話アニメーションＤＢという）７と、前記異常検知装置２からの検知信号に基づいて前記手話アニメーションＤＢ７に格納される手話アニメーションデータの中から最適な手話アニメーションデータを自動的に選択し、この最適手話アニメーションデータを手話アニメーション配信部９に伝送する制御部８とが備えられている。
【００１４】
ここで前記制御部８は、前記異常検知装置２からの検知信号を受信する異常検知信号受信部８ａと、前記手話アニメーションＤＢ７から最適な手話アニメーションデータを選定する手話アニメーションデータ選定部８ｂと、当該最適手話アニメーションデータを伝送する最適手話アニメーションデータ伝送部８ｃと、を具備している。
【００１５】
また、制御部８から最適手話アニメーションデータを取得した手話アニメーション配信部９では、手話アニメーション生成装置３に接続される全ての手話アニメーション表示装置４に対して当該最適手話アニメーションデータの配信が行われ、全ての手話アニメーション表示装置４にて手話アニメーションが表示されることとなる。
【００１６】
ここで、前記手話アニメーションＤＢ７は、図２のように、例えば「火災」，「地震」，「始まる（＝発生）」等、異常事態発生時に提供される情報に頻出の単語を登録する「単語」項目と、各単語に対応する手話アニメーションデータを登録する「手話アニメーションデータ」項目とから構成されており、多数の単語について手話アニメーションデータが予め格納されている。
【００１７】
［本システムによる情報提供処理］
以上のような構成の手話アニメーションによる情報提供システム１による情報提供処理の手順について、図３を参照して以下説明する。ここで、本実施形態では、一例として施設内において火災が発生した場合における本システム１による情報提供処理手順を説明する。図３は、本システム１による情報提供処理手順を説明するためのフローチャートである。
【００１８】
まず、異常検知装置２（この場合、火災報知器等）が火災による異常事態を検知すると（ステップＳＴ１）、異常検知装置２は異常検知信号である火災発生検知信号を手話アニメーション生成装置３に伝送する（ステップＳＴ２）。
【００１９】
手話アニメーション生成装置３では、伝送された火災発生検知信号を制御部８内の異常検知信号受信部８ａにて受信し（ステップＳＴ３）、この火災発生検知信号に基づき、手話アニメーションＤＢ７から「単語」項目が「火災」および「始まる」の手話アニメーションデータをそれぞれ、手話アニメーションデータ選定部８ｂが自動的に選定する（ステップＳＴ４）。
【００２０】
こうして手話アニメーションデータ選定部８ｂによって火災発生情報を作成するのに最適な手話アニメーションデータを選定した後、最適手話アニメーションデータ伝送部８ｃが、当該選定データを手話アニメーション配信部９に伝送する（ステップＳＴ５）。そして手話アニメーション配信部９が、施設内各所に設置された手話アニメーション表示装置４に最適手話アニメーションデータを配信し（ステップＳＴ６）、手話アニメーション表示装置４が手話アニメーション配信部９から配信された手話アニメーションデータに基づき手話アニメーションを表示する（ステップＳＴ７）。
【００２１】
以上のように、本発明の手話アニメーションによる情報提供システム１によれば、異常事態発生時に人手を介することなく、異常検知信号の種類に応じて迅速に手話アニメーションによる異常事態発生の情報を提供することができる。
【００２２】
［第二実施形態］
ここで上記実施形態では、異常検知装置からの異常検知信号を受信することで、異常事態発生を知らせる手話アニメーション情報を自動的に生成し、表示装置に表示させる情報提供システムについて説明しているが、例えば電車などの交通機関の遅延や事故により、聴覚障害者が電車内に閉じこめられた場合には、図４のようなシステム１０を採用することにより、聴覚障害者の不安解消と安全確保とを実現することができる。以下、図４を参照して具体的に説明する。
【００２３】
［第二実施形態に係る情報提供システムの構成］
第二実施形態に係る手話アニメーションによる情報提供システム１０は、異常事態発生情報を音声アナウンスする情報提供者が音声入力する音声入力装置１２と、該音声入力装置１２からの音声データに基づいて手話アニメーションを生成する手話アニメーション生成装置１３と、生成された手話アニメーションを表示する手話アニメーション表示装置１４と、が通信回線を介して接続されることで構成されている。
【００２４】
前記手話アニメーション生成装置１３には、入力装置１５から入力された単語に基づいて手話アニメーション生成部１６にて生成された手話アニメーションのデータを格納する手話アニメーションデータベース（以下、手話アニメーションＤＢという）１７と、前記音声入力装置１２からの音声データに基づいて前記手話アニメーションＤＢ１７に格納される手話アニメーションデータの中から最適な手話アニメーションデータを自動的に選択し、この最適手話アニメーションデータを手話アニメーション配信部１９に伝送する制御部とが備えられている。
【００２５】
ここで前記制御部１８は、前記音声入力装置１２からの音声データを受信する音声データ受信部１８ａと、受信した音声データを日本語文のテキストデータに変換する音声データ変換部１８ｂと、該音声データ変換部１８ｂにてテキストデータに変換された日本語文に基づいて前記手話アニメーションＤＢ１７から最適な手話アニメーションデータを選定する手話アニメーションデータ選定部１８ｃと、当該最適手話アニメーションデータを伝送する最適手話アニメーションデータ伝送部１８ｄと、を具備している。尚、前記手話アニメーションＤＢ１７は、図２と同様の構成となっている。
【００２６】
また、前記制御部１８から最適手話アニメーションデータを取得した手話アニメーション配信部１９では、第一実施形態と同様に、手話アニメーション生成装置１３に接続される全ての手話アニメーション表示装置１４に対して当該最適手話アニメーションデータの配信が行われ、全ての手話アニメーション表示装置１４にて手話アニメーションが表示されることとなる。
【００２７】
［第二実施形態に係るシステムによる情報提供処理］
以上のような構成の手話アニメーションによる情報提供システム１０による情報提供処理の手順について、図５を参照して以下説明する。ここで、本実施形態では、一例として電車の事故により聴覚障害者が電車内に閉じこめられた場合における本システム１０による情報提供処理手順を説明する。図５は、本システム１０による情報提供処理手順を説明するためのフローチャートである。
【００２８】
まず、音声入力装置１２（この場合、乗務員がアナウンスするためのマイクロフォン）から乗務員により「電車は事故により１０分遅れています」と音声入力されると（ステップＳＴ１１）、手話アニメーション生成装置１３では、伝送された音声データを制御部１８内の音声データ受信部１８ａにて受信し（ステップＳＴ１２）、音声データ変換部１８ｂが、受信した音声データをテキスト変換する（ステップＳＴ１３）。
【００２９】
そして、変換された「電車は事故により１０分遅れています」というテキストデータに基づき、手話アニメーションＤＢ１７から「単語」項目が「事故」，「１０」，「分」および「遅れる」の手話アニメーションデータをそれぞれ制御部１８内の手話アニメーションデータ選定部１８ｃが自動的に選定する（ステップＳＴ１４）。
【００３０】
こうして手話アニメーションデータ選定部１８ｃによって乗務員のアナウンス情報を作成するのに最適な手話アニメーションデータを選定した後、最適手話アニメーションデータ伝送部１８ｄが、当該選定データを手話アニメーション配信部１９に伝送する（ステップＳＴ１５）。そして手話アニメーション配信部１９が、電車内の各所に設置された手話アニメーション表示装置１４に最適手話アニメーションデータを配信し（ステップＳＴ１６）、手話アニメーション表示装置１４が手話アニメーション配信部１９から配信された手話アニメーションデータに基づき手話アニメーションを表示する（ステップＳＴ１７）。
【００３１】
以上のように、本発明の第二実施形態に係る手話アニメーションによる情報提供システム１０によれば、異常事態発生時に人手を介することなく、自動的に音声データから手話アニメーション情報に変換し、迅速に手話アニメーションによる異常事態発生の情報を提供することができる。
【００３２】
尚、上記の各実施形態では、手話アニメーション表示装置４，１４は施設内等の各所に設けられたものとなっているが、この手話アニメーション表示装置４，１４は携帯電話などの移動体通信端末であってもよい。この場合、聴覚障害者は手話アニメーション生成装置３，１３に自らの移動体通信端末への連絡先を予め登録しておくことにより、手話アニメーション配信部９，１９から移動体通信端末へ手話アニメーションデータが配信される。これにより、異常事態発生時に聴覚障害者の周辺に手話アニメーション表示装置４，１４が存在せずとも、自らの移動体通信端末にて異常事態発生を知らせる手話アニメーション情報を確認することができる。
【００３３】
【発明の効果】
以上述べたように、本発明の手話アニメーションによる情報提供システムによれば、異常事態発生後に、聴覚障害者は健常者とほぼ同時に異常事態の発生を警告する情報を知ることができるため、異常事態発生時における聴覚障害者の不安解消と安全確保を速やかに図ることができる。
【図面の簡単な説明】
【図１】本発明の一実施形態に係る手話アニメーションによる情報提供システムの構成図である。
【図２】第一実施形態に係る手話アニメーションによる情報提供システムにおける手話アニメーションデータベースの構成の一例を示す図である。
【図３】第一実施形態に係る手話アニメーションによる情報提供システムによる情報提供処理手順を説明するためのフローチャートである。
【図４】本発明の第二実施形態に係る手話アニメーションによる情報提供システムの構成図である。
【図５】第二実施形態に係る手話アニメーションによる情報提供システムによる情報提供処理手順を説明するためのフローチャートである。
【符号の説明】
１，１０…手話アニメーションによる情報提供システム、２…異常検知装置、３，１３…手話アニメーション生成装置、４，１４…手話アニメーション表示装置、５，１５…入力装置、６，１６…手話アニメーション生成部、７，１７…手話アニメーションデータベース、８，１８…制御部、９，１９…手話アニメーション配信部、１２…音声入力装置、８ａ…異常検知信号受信部、８ｂ…手話アニメーションデータ選定部、８ｃ…最適手話アニメーションデータ伝送部、１８ａ…音声データ受信部、１８ｂ…音声データ変換部、１８ｃ…手話アニメーションデータ選定部、１８ｄ…最適手話アニメーションデータ伝送部。
【図１】
2004110649.tif 000003
【図２】
2004110649.tif 000004
【図３】
2004110649.tif 000005
【図４】
2004110649.tif 000006
【図５】
2004110649.tif 000007